(57)【要約】【課題】一対のつり合いおもり用ガイドレールに巻上機からの力が過度にかかることのないエレベータ装置を提供する。【解決手段】エレベータ装置は昇降路１５内に配置され、一対のかご用ガイドレール１ａ，１ｂに沿って昇降する乗りかご３と、昇降路１５内に配置され、一対のつり合いおもり用ガイドレール２ａ，２ｂに沿って昇降するつり合いおもり１０とを備えている。乗りかご３とつり合いおもり１０とはロープ６ａにより連結され、このロープ６ａは巻上機５により駆動される。巻上機５は支持台９上に載置され、支持台９は一対のつり合いおもり用ガイドレール１ａ，１ｂの上部と、一方のかご用ガイドレール１ａの上部に取り付けられている。【選択図】　図２
2004142927.tif 000002
【特許請求の範囲】
【請求項１】
昇降路内に配置され、一対のかご用ガイドレールに沿って昇降する乗りかごと、
前記昇降路内に配置され、一対のつり合いおもり用ガイドレールに沿って昇降するとともに前記乗りかごにロープを介して連結されたつり合いおもりと、
前記ロープを駆動させる巻上機とを備え、
前記巻上機は前記一対のつり合いおもり用ガイドレートの上部と、一方のかご用ガイドレートの上部に取り付けられた支持台上に載置され、かつ前記巻上機は平面からみて前記乗りかごに重なり合うことを特徴とするエレベータ装置。
【請求項２】
前記ロープはロープ取付台により支持され、ロープ取付台は支持台上に載置されていることを特徴とする請求項１記載のエレベータ装置。
【請求項３】
前記支持台は前記一対のつり合いおもり用ガイドレールと、一方のかご用ガイドレールの上部に、防振ゴムを介して取り付けられていることを特徴とする請求項１記載のエレベータ装置。
【発明の詳細な説明】
【０００１】
【発明の属する技術分野】
本発明は、乗りかごと、つり合いおもりと、これら乗りかごとつり合いおもり間に設けられたロープを駆動する巻上機とを有するとともに、機械室を持たないトラクション式のエレベータ装置に関する。
【０００２】
【従来の技術】
図５に示すように、従来のトラクション式エレベータは、一対のかご用ガイドレール２ａ，２ｂに沿って昇降する乗りかご３と、一対のつり合いおもり用ガイドレール１ａ，１ｂに沿って昇降するつり合いおもり１０とを備えている。乗りかご３とつり合いおもり１０とを連結するロープ６ａは、巻上機５により駆動される。巻上機５が昇降路１５の上方部に設置される場合、巻上機５は一対のつり合いおもり用ガイドレール１ａ，１ｂにより支持され、巻上機５は昇降路１５の壁面と乗りかご３との空間に設けられている（例えば特許文献１参照）。
【０００３】
【特許文献１】
特願平７−３０８５１５
【０００４】
【発明が解決しようとする課題】
上記のような従来技術によれば、一対のかご用ガイドレール２ａ，２ｂに沿って昇降する乗りかご３の重心は巻上機５を支持する一対のつり合いおもり用ガイドレール１ａ，１ｂの中心から離れているために、ロープを介して、巻上機５に対して大きく曲げの力が作用する。
【０００５】
このため、巻上機５を支持する一対のつり合いおもり用ガイドレール１ａ，１ｂに大きな応力がかかる。
【０００６】
本発明はこのような点を考慮してなされたものであり、巻上機を支持する一対のつり合いおもり用ガイドレールにかかる曲げの力を小さく抑えることができるエレベータ装置を提供することを目的とする。
【０００７】
【課題を解決するための手段】
本発明は、昇降路内に配置され、一対のかご用ガイドレールに沿って昇降する乗りかごと、昇降路内に配置され、一対のつり合いおもり用ガイドレールに沿って昇降するとともに乗りかごにロープを介して連結されたつり合いおもりと、ロープを駆動させる巻上機とを備え、巻上機は一対のつり合いおもり用ガイドレートの上部と、一方のかご用ガイドレートの上部に取り付けられた支持台上に載置され、かつ巻上機は平面からみて乗りかごに重なり合うことを特徴とするエレベータ装置である。
【０００８】
本発明は、ロープはロープ取付台により支持され、ロープ取付台は支持台上に載置されていることを特徴とするエレベータ装置である。
【０００９】
本発明は、支持台は一対のつり合いおもり用ガイドレールと、一方のかご用ガイドレールの上部に、防振ゴムを介して取り付けられていることを特徴とするエレベータ装置である。
【００１０】
【発明の実施の形態】
以下、図面を参照して本発明の実施の形態について説明する。
【００１１】
図１乃至図４は、本発明によるエレベータ装置の一実施の形態を示す図である。
【００１２】
図１乃至図４に示すように、エレベータ装置は、昇降路１５内に配置され一対のかご用ガイドレール２ａ，２ｂに沿って昇降する乗りかご３と、昇降路１５内に配置され一対のつり合いおもり用ガイドレール１ａ，１ｂに沿って昇降するつり合いおもり１０とを備えている。乗りかご３とつり合いおもり１０とはロープ６ａを介して連結され、このロープ６ａは巻上機５によりシーブ５ａを介して駆動されるようになっている。
【００１３】
また図２に示すように、かご用ガイドレール２ａ，２ｂと、つり合いおもり用ガイドレール１ａ，１ｂは互いに直交して交わるよう配置されている。
【００１４】
ところで巻上機５は、支持台９上に載置されるとともに、支持台９は、一対のつり合いおもり用ガイドレール１ａ，１ｂの上部と、かご用ガイドレール２ａ，２ｂのうち一方のかご用ガイドレール２ａの上部に跨るよう取り付けられて支持されている。
【００１５】
また、ロープ６ａの一側は支持台９上に設置されたロープ取付台６に接続され、ロープ６ａの他側はかご用ガイドレール２ｂの上部に設けられたロープ取付台６に接続されている。
【００１６】
次に図３および図４により、支持台９の取付構造について述べる。図３および図４に示すように、一対のつり合いおもり用ガイドレール１ａ，１ｂの上部と、一方のかご用ガイドレール２ａの上部にブラケット７が取付けられ、各々のブラケット７上に一対の防振ゴム８とシム８ｂを介して支持台９が取付けられている。
【００１７】
さらに図２に示すように平面からみて、巻上機５は乗りかご３に一部重なり合っている。
【００１８】
次にこのような構成からなる本実施の形態の作用について説明する。
【００１９】
まず、巻上機５によりシーブ５ａを介してロープ６ａが駆動され、昇降路１５内で乗りかご３とつり合いおもり１０とが昇降する。
【００２０】
この場合、巻上機５を支持する支持台９は、一対のつり合いおもり用ガイドレール１ａ，１ｂの上部と、一方のかご用ガイドレール２ａの上部に取付けられ、これらガイドレール１ａ，１ｂ，２ａに３点支持されているので、ロープ６ａを介して巻上機５にかかる力をこれらガイドレール１ａ，１ｂ，２ａにより均一に保持することができる。このため、一対のつり合いおもり用ガイドレール１ａ，１ｂの形状を小さく抑えることができる。
【００２１】
さらに平面からみて、乗りかご３と巻上機５とを互いに重なり合うよう配置したので、乗りかご３の重心近傍において巻上機５のシーブ５ａに掛け渡されたロープ６ａにより乗りかご３を駆動することができる。このため、ロープ６ａにより乗りかご３を安定して駆動することができる。
【００２２】
また、一対のつり合いおもり用ガイドレール１ａ，１ｂの上部と、一方のかご用ガイドレール２ａの上部に各々シム８ｂを介して支持台９を取付けることにより、ガイドレール１ａ，１ｂ，２ａの長さに相違があっても、支持台９を安定して水平状態に保ちながらガイドレール１ａ，１ｂ，２ａの上部に取付けることができる。また、一対のつり合いおもり用ガイドレール１ａ，１ｂと、一方のかご用ガイドレール２ａの上部に防振ゴム３を介して支持台９を取付けることによりガイドレール１ａ，１ｂ，２ａからの振動が巻上機５側に伝達されることがない。
【００２３】
なお、図８に示すように、防振ゴム８は、取付用ボルト穴８ａを有しているため、ボルト（図示せず）をボルト穴８ａ内に挿入することにより、このボルトによる防振ゴム８の取付が容易となる。
【００２４】
さらにまた、図２に示すように、平面からみて支持台６上の一側に巻上機５が設置され、支持台６上の他側にロープ６ａを支持するロープ取付台６が設置されているので、バランス良く全体的に支持台６に力を加えることができる。このため支持台６からガイドレール１ａ，１ｂ，２ａに加わる荷重をより均一に分散させることができる。
【００２５】
【発明の効果】
以上のように本発明によれば、巻上機を一対のつり合いおもり用ガイドレールの上部と一方のかご用ガイドレールの上部に取付けるため、巻上機からこれらのガイドレールにかかる力を分散させることができる。このため巻上機を支持する一対のつり合いおもり用ガイドレールのみに、大きな曲げの力が働くことはない。従って、つり合いおもり用ガイドレールの形状を過大に大きくする必要はない。さらに、巻上機と乗りかごは平面からみて互いに重なり合うため、乗りかごの重心近傍において、巻上機により乗りかごをロープにより安定して駆動することができる。
【図面の簡単な説明】
【図１】本発明によるエレベータ装置の一実施の形態を示す斜視図。
【図２】エレベータ装置を示す平面図。
【図３】支持台の取付構造を示す拡大図。
【図４】シムと防振ゴムを示す図。
【図５】従来のエレベータ装置を示す斜視図。
【符号の説明】
１ａ，１ｂ　つり合いおもり用ガイドレール
２ａ，２ｂ　かご用ガイドレール
３　乗りかご
５　巻上機
５ａ　シーブ
６　ロープ取付台
６ａ　ロープ
８　防振ゴム
９　支持台
１０　つり合いおもり
【図１】
2004142927.tif 000003
【図２】
2004142927.tif 000004
【図３】
2004142927.tif 000005
【図４】
2004142927.tif 000006
【図５】
2004142927.tif 000007